(57)【要約】【課題】  絶縁耐圧の向上を図った半導体装置を提供する。【解決手段】  第１ダイパッド２１、第２ダイパッド２２、第１半導体素子（制御素子１１１）、第２半導体素子（駆動素子１１２）、インダクタ結合型の絶縁素子１２、第１ワイヤ（第２ボンディングワイヤ７１２）および第２ワイヤ（第３ボンディングワイヤ７１３）を備え、第１ダイパッド２１には、一方向（第１方向Ｘ）に突出する第１部分が設けられており、前記第１部分が設けられることにより、第１ダイパッド２１に対して前記一方向に設けられたスペースに位置し、かつ、第１ダイパッド１２から第２ダイパッド２２が離間する方向（第２方向Ｙ）に対して平面視において傾斜した部分を含む傾斜パッドと、第１ダイパッド２１から第２ダイパッド２２が離間する方向に対して、前記傾斜パッドから延出する傾斜パッド接続リードと、をさらに備える。【選択図】  図７
2020167428.tif 000002
【特許請求の範囲】
【請求項１】
第１ダイパッドと、
前記第１ダイパッドの厚さ方向に対して直交する方向において、前記第１ダイパッドから所定の間隔で離間した第２ダイパッドと、
前記第１ダイパッドに搭載された第１半導体素子と、
前記第２ダイパッドに搭載された第２半導体素子と、
前記第１ダイパッドに搭載され、かつ前記第１半導体素子と前記第２半導体素子との間に配置されたインダクタ結合型の絶縁素子と、
前記第１半導体素子と前記絶縁素子とをつなぐ第１ワイヤと、
前記絶縁素子と前記第２半導体素子とをつなぐ第２ワイヤと、を備え、
前記第１ダイパッドには、前記厚さ方向と、前記第１ダイパッドから前記第２ダイパッドが離間する方向と、の双方に対して直交する一方向に突出する第１部分が設けられており、
前記第２ダイパッドには、前記一方向に突出する第２部分が設けられており、
前記第１部分が設けられることにより、前記第１ダイパッドに対して前記一方向に設けられたスペースに位置し、かつ、前記第１ダイパッドから前記第２ダイパッドが離間する方向に対して平面視において傾斜した部分を含む傾斜パッドと、
前記第１ダイパッドから前記第２ダイパッドが離間する方向に対して、前記傾斜パッドから延出する傾斜パッド接続リードと、をさらに備え、
前記一方向に対して直交する断面において、前記絶縁素子につながる前記第１ワイヤの一端が前記絶縁素子に対してなす角度は、前記第１半導体素子につながる前記第１ワイヤの他端が前記第１半導体素子に対してなす角度よりも大であり、
前記一方向に対して直交する断面において、前記絶縁素子につながる前記第２ワイヤの一端が前記絶縁素子に対してなす角度は、前記第２半導体素子につながる前記第２ワイヤの他端が前記第２半導体素子に対してなす角度よりも大であり、
前記第１ワイヤが前記第２ワイヤよりも短く、
前記第１ダイパッドから前記第２ダイパッドが離間する方向において、前記第１半導体素子につながる前記第１ワイヤの前記他端と、前記第２半導体素子につながる前記第２ワイヤの前記他端と、の各々の前記厚さ方向における寸法は、前記絶縁素子から離れるほど徐々に小となることを特徴とする、半導体装置。
【請求項２】
前記第１ダイパッド、前記第１部分および前記第２ダイパッド、はいずれも同一平面上に配置されている、請求項１に記載の半導体装置。
【請求項３】
前記平面視において、前記第１部分は、前記第１ダイパッドから前記第２ダイパッドが離間する方向と、前記一方向と、の双方に対して傾斜する傾斜部を含む、請求項１または２に記載の半導体装置。
【請求項４】
前記第１ダイパッドから離間した第１パッド、および前記第２ダイパッドから離間した第２パッドをさらに備え、
前記第１パッドは、前記第１半導体素子に導通しており、
前記第２パッドは、前記第２半導体素子に導通している、請求項１ないし３のいずれかに記載の半導体装置。
【請求項５】
前記第１パッドにつながる第１リード、および前記第２パッドにつながる第２リードをさらに備え、
前記第１リードは、前記第１ダイパッドから前記第２ダイパッドが離間する方向の一方側に向けて前記第１パッドから延びており、
前記第２リードは、前記第１ダイパッドから前記第２ダイパッドが離間する方向の他方側に向けて前記第２パッドから延びている、請求項４に記載の半導体装置。
【請求項６】
第３ワイヤおよび第４ワイヤをさらに備え、
前記第３ワイヤは、前記第１半導体素子と、前記第１パッドおよび前記第１部分のいずれかと、をつないでおり、
前記第４ワイヤは、前記第２半導体素子と、前記第２パッドおよび前記第２部分のいずれかと、をつないでいる、請求項４または５に記載の半導体装置。
【請求項７】
前記一方向に対して直交する断面において、前記第１半導体素子につながる前記第３ワイヤの一端が前記第１半導体素子に対してなす角度は、前記第１パッドにつながる前記第３ワイヤの他端が前記第１パッドに対してなす角度よりも大であり、
前記一方向に対して直交する断面において、前記第２半導体素子につながる前記第４ワイヤの一端が前記第２半導体素子に対してなす角度は、前記第２パッドにつながる前記第４ワイヤの他端が前記第２パッドに対してなす角度よりも大である、請求項６に記載の半導体装置。
【請求項８】
前記第１ダイパッドには、複数の貫通孔が設けられている、請求項１ないし７のいずれかに記載の半導体装置。
【請求項９】
前記複数の貫通孔の各々は、所定の方向に延びる長孔である、請求項８に記載の半導体装置。
【請求項１０】
前記複数の貫通孔の各々の幅は、前記第１ダイパッドと前記第２ダイパッドとの離間距離よりも小である、請求項９に記載の半導体装置。
【請求項１１】
前記複数の貫通孔は、前記一方向に沿って配列されている、請求項８ないし１０のいずれかに記載の半導体装置。
【請求項１２】
封止樹脂をさらに備え、
前記封止樹脂は、前記第１半導体素子、前記第２半導体素子および前記絶縁素子を覆っている、請求項１ないし１１のいずれかに記載の半導体装置。
【請求項１３】
前記第１半導体素子と前記第１ダイパッドとをつなぐ複数のワイヤをさらに備える、請求項１ないし１２のいずれかに記載の半導体装置。
【発明の詳細な説明】
【技術分野】
【０００１】
本発明は、半導体装置のうち、特に一つのパッケージ内に搭載された複数の半導体素子間において、インダクタ結合型の絶縁素子を用いて信号伝達を行う半導体装置に関する。
【背景技術】
【０００２】
たとえば、電気自動車、またはハイブリッド自動車に搭載されているインバータ装置には、高電圧の直流電源を交流電力に変換することが求められるため、絶縁素子を搭載した半導体装置が使用されている。当該インバータ装置は、たとえば当該半導体装置と、ＩＧＢＴ（Insulated Gate Bipolar Transistor）やＭＯＳＦＥＴ（Metal Oxide Semiconductor Field Effect Transistor）などの複数のスイッチング素子とを備える。当該半導体装置は、制御素子、絶縁素子および駆動素子を備える。電気自動車のインバータ装置においては、ＥＣＵ（Engine Control Unit）から出力された制御信号が、当該半導体装置の制御素子に入力される。制御素子は、制御信号をＰＷＭ（Pulse Width Modulation）制御信号に変換し、絶縁素子を介して駆動素子に伝送する。駆動素子は、ＰＷＭ制御信号に基づき、複数のスイッチング素子を駆動させる。これにより、車載用バッテリの直流電力からモータ駆動用の三相交流電力に変換される。
【０００３】
当該半導体装置において、制御素子に供給される電源電圧は低電圧（約５Ｖ）であることに対し、駆動素子に供給される電源電圧は高電圧（約６００Ｖ以上）である。そのため、制御素子から駆動素子へのＰＷＭ制御信号の伝送にあたっては、絶縁素子を介する必要がある。絶縁素子は、従来、フォトカプラであった。しかし、近年では、インダクタ結合型の絶縁素子が普及しつつある。インダクタ結合型の絶縁素子は、２つのインダクタ（コイル）を誘導結合させることで、絶縁状態による電気信号の伝送を行う。すなわち、一方のコイルを用いて電気信号を磁気に変換し、他方のコイルを用いて前記磁気を電気信号に変換することで、絶縁状態による電気信号の伝送が行われる。インダクタ結合型の絶縁素子は、フォトカプラと異なり、半導体装置の小型化に寄与するとともに、高周波数の電気信号であっても、その伝送にほとんど遅延が生じないため、複数のスイッチング素子の高速スイッチング動作への対応が可能であるという利点がある。たとえば特許文献１に、送信回路を備えた半導体素子と、インダクタ結合型の絶縁素子と、受信回路を備えた駆動素子（ゲートドライバＩＣ）とを、一つのパッケージ内に搭載した半導体装置が開示されている。
【０００４】
制御素子および駆動素子のように、供給される電源電圧に著しい電位差がある半導体素子を一つのパッケージ内に搭載した半導体装置は、絶縁素子を搭載することに加え、絶縁耐圧の向上が求められる。当該半導体装置のパッケージとしてＳＯＰ（Small Outline Package）とした場合、一方の封止樹脂の側面から露出した複数の端子と、駆動素子などの素子を挟んで反対側に位置する他方の封止樹脂の側面から露出した複数の端子とは、十分な離間距離が確保された状態でそれぞれ配列されていることが、絶縁耐圧の向上の点で好ましい。また、複数の端子以外のリードフレームの部位が封止樹脂から露出していないことが、絶縁耐圧の向上の点で好ましい。インバータ装置の制御対象となるモータに供給される電源電圧が高くなるほど、絶縁耐圧の向上の要請がより強くなる。
【０００５】
たとえば特許文献２に、従来のＳＯＰの半導体装置の構造が開示されている。当該半導体装置の製造過程において、アイランドサポートと呼ばれる支持部材が、半導体素子などが搭載されるアイランド部（ダイパッド）を支持している。アイランドサポートは、複数の端子が延出する方向に対して直角方向に延出し、その両端のうち一方はアイランド部に連結され、他方はリードフレームの外枠にそれぞれ連結されている。封止樹脂の形成を経た後は、アイランド部は封止樹脂により支持されるため、アイランドサポートは不要となり、当該半導体装置がリードフレームから切断される際、アイランドサポートもあわせて切断される。このとき、封止樹脂の側面から、アイランドサポートの切断面が露出する。切断面はリードフレームの一部分であることから、当該半導体装置の構造は、絶縁耐圧の向上には不向きである。
【先行技術文献】
【特許文献】
【０００６】
【特許文献１】特開２０１３−５１５４７号公報
【特許文献２】特開２０００−６８４３７号公報
【発明の概要】
【発明が解決しようとする課題】
【０００７】
本発明は上記事情に鑑み、絶縁耐圧の向上を図った半導体装置を提供することをその課題とする。
【課題を解決するための手段】
【０００８】
本発明によって提供される半導体装置は、半導体素子と、前記半導体素子を搭載するダイパッド、第１方向に沿って配列された複数の第１端子、前記第１方向に沿って配列され、かつ前記第１方向に対して直角である第２方向において、前記半導体素子を挟んで前記複数の第１端子の反対側に位置する複数の第２端子および前記ダイパッドに連結された支持端子を含む導電支持部材と、前記複数の第１端子、前記複数の第２端子および前記支持端子のそれぞれ一部ずつと、前記半導体素子および前記ダイパッドと、を覆う封止樹脂と、を備え、前記封止樹脂は、前記第２方向に離間して形成された一対の樹脂第１側面と、前記第１方向に離間して形成された一対の樹脂第２側面と、を有し、前記複数の第１端子および前記複数の第２端子が、前記一対の樹脂第１側面からそれぞれ露出し、前記導電支持部材が、前記一対の樹脂第２側面から露出していないことを特徴としている。
【０００９】
本発明の実施において好ましくは、前記ダイパッドは、第１ダイパッドおよび第２ダイパッドを含み、前記第２方向において、前記第１ダイパッドおよび前記第２ダイパッドは互いに離間して配置されている。
【００１０】
本発明の実施において好ましくは、前記支持端子は、前記第１方向に離間して配置された一対の支持端子を含み、前記第１方向において、前記一対の支持端子は前記ダイパッドの両端に連結されている。
【００１１】
本発明の実施において好ましくは、前記一対の支持端子は、前記第１ダイパッドに連結された一対の第１支持端子と、前記第２ダイパッドに連結された一対の第２支持端子と、を含み、前記一対の第１支持端子および前記一対の第２支持端子は、前記一対の樹脂第１側面からそれぞれ露出している。
【００１２】
本発明の実施において好ましくは、前記半導体素子は、制御素子と、前記制御素子よりも高い電圧を必要とする駆動素子と、を含み、前記第１ダイパッドに前記制御素子が搭載され、前記第２ダイパッドに前記駆動素子が搭載されている。
【００１３】
本発明の実施において好ましくは、前記制御素子は、少なくとも一つ以上の前記第１端子と導通し、前記駆動素子は、少なくとも一つ以上の前記第２端子と導通している。
【００１４】
本発明の実施において好ましくは、前記制御素子は、少なくとも一つ以上の前記第１支持端子と導通し、前記駆動素子は、少なくとも一つ以上の前記第２支持端子と導通している。
【００１５】
本発明の実施において好ましくは、前記制御素子および前記駆動素子と導通する絶縁素子をさらに備え、前記第２方向において、前記絶縁素子は前記制御素子と前記駆動素子との間に位置する。
【００１６】
本発明の実施において好ましくは、前記絶縁素子に、インダクタが形成されている。
【００１７】
本発明の実施において好ましくは、前記制御素子、前記駆動素子および前記絶縁素子の平面視形状は、いずれも前記第１方向を長辺とする長矩形である。
【００１８】
本発明の実施において好ましくは、前記第１ダイパッドの面積は、前記第２ダイパッドの面積よりも広く、かつ前記第１ダイパッドに前記絶縁素子が搭載されている。
【００１９】
本発明の実施において好ましくは、前記第１ダイパッドに貫通孔が形成されている。
【００２０】
本発明の実施において好ましくは、前記第１ダイパッドにおいて、前記一対の第１支持端子および前記貫通孔は、前記第１方向に沿った直線上に配置されている。
【００２１】
本発明の実施において好ましくは、前記第１ダイパッドおよび前記第２ダイパッドの平面視形状は、いずれも前記第１方向を長辺とする長矩形である。
【００２２】
本発明の実施において好ましくは、前記複数の第１端子および前記一対の第１支持端子は、一方の前記樹脂第１側面からそれぞれ露出している。
【００２３】
本発明の実施において好ましくは、前記第１方向において、前記一対の第１支持端子は前記複数の第１端子の両側に配置されている。
【００２４】
本発明の実施において好ましくは、前記複数の第２端子および前記一対の第２支持端子は、他方の樹脂第１側面からそれぞれ露出している。
【００２５】
本発明の実施において好ましくは、前記第１方向において、前記一対の第２支持端子のそれぞれの両側に、前記第２端子が配置されている。
【００２６】
本発明の実施において好ましくは、前記第１方向において、前記一対の第２支持端子のそれぞれの外側に配置された前記第２端子に、前記第２支持端子に向かって突出した突起部が形成されている。
【００２７】
本発明の実施において好ましくは、前記制御素子、または前記駆動素子にボンディングされた複数のボンディングワイヤをさらに備え、前記複数のボンディングワイヤの一部は、少なくとも一つ以上の前記第１端子、または前記第２端子にボンディングされている。
【００２８】
本発明の実施において好ましくは、前記複数のボンディングワイヤの一部は、少なくとも一つ以上の前記第１支持端子、または前記第２支持端子にボンディングされている。
【００２９】
本発明の実施において好ましくは、前記複数のボンディングワイヤの一部は、前記絶縁素子にボンディングされている。
【００３０】
本発明の実施において好ましくは、前記絶縁素子にボンディングされた前記複数のボンディングワイヤは、前記第２方向に沿って配置されている。
【００３１】
本発明の実施において好ましくは、前記絶縁素子にボンディングされた前記複数のボンディングワイヤのすべてに、前記絶縁素子にボンディングされた第１ボンディング部が形成されている。
【００３２】
本発明の実施において好ましくは、前記導電支持部材は、Ｃｕを含む合金からなる。
【００３３】
本発明の実施において好ましくは、前記封止樹脂は、電気絶縁性を有するエポキシ樹脂からなる。
【００３４】
本発明の実施において好ましくは、前記複数の第１端子と、前記複数の第２端子と、前記支持端子と、に形成された部位を有する内装めっき層をさらに備える。
【００３５】
本発明の実施において好ましくは、前記内装めっき層は、Ａｇからなる。
【００３６】
本発明の実施において好ましくは、前記複数の第１端子および前記一対の第１支持端子と、前記複数の第２端子および前記一対の第２支持端子と、がそれぞれ前記一対の樹脂第１側面から露出した部分に形成された外装めっき層をさらに備える。
【００３７】
本発明の実施において好ましくは、前記外装めっき層は、Ｓｎを含む合金からなる。
【発明の効果】
【００３８】
本発明によれば、前記複数の第１端子および前記複数の第２端子は、前記一対の樹脂第１側面からそれぞれ露出している。また、前記半導体装置を構成する前記ダイパッド、前記複数の第１端子、前記複数の第２端子および前記支持端子は、いずれも前記導電支持部材の各構成部材である。そして、前記一対の樹脂第２側面から、アイランドサポートなどの前記導電支持部材が露出していない。このような構成とすることで、前記複数の第１端子よりも高電圧が印加される前記複数の第２端子の近傍に、前記封止樹脂から露出した導前記電支持部材の金属部が存在しなくなる。したがって、前記半導体装置の絶縁耐圧の向上を図ることが可能となる。
【００３９】
本発明のその他の特徴および利点は、添付図面に基づき以下に行う詳細な説明によって、より明らかとなろう。
【図面の簡単な説明】
【００４０】
【図１】本発明の第１実施形態にかかる半導体装置を示す平面図である。
【図２】図１の半導体装置を示す平面図である（封止樹脂を省略）。
【図３】図１の半導体装置を示す左側面図である。
【図４】図１の半導体装置を示す右側面図である。
【図５】図１の半導体装置を示す正面図である。
【図６】図１の半導体装置を示す背面図である。
【図７】図２のＶＩＩ−ＶＩＩ線に沿う断面図である。
【図８】図２のＶＩＩＩ−ＶＩＩＩ線に沿う断面図である。
【図９】図１の半導体装置のリードフレームを示す平面図である。
【図１０】図１の半導体装置のボンディングワイヤの製造工程を示す要部断面図である。
【図１１】図１の半導体装置のボンディングワイヤの製造工程を示す要部断面図である。
【図１２】図１の半導体装置のボンディングワイヤの製造工程を示す要部断面図である。
【図１３】図１の半導体装置のボンディングワイヤの製造工程を示す要部断面図である。
【図１４】図１の半導体装置のボンディングワイヤの製造工程を示す要部断面図である。
【図１５】本発明の第２実施形態にかかる半導体装置を示す平面図である（封止樹脂を省略）。
【図１６】図１５のＸＶＩ−ＸＶＩ線に沿う断面図である。
【図１７】本発明の第３実施形態にかかる半導体装置を示す平面図である（封止樹脂を省略）。
【図１８】図１７における右上の領域の部分拡大図である。
【発明を実施するための形態】
【００４１】
本発明にかかる半導体装置の実施形態について、添付図面に基づいて説明する。
【００４２】
〔第１実施形態〕
図１〜図１２に基づき、本発明の第１実施形態にかかる半導体装置Ａ１について説明する。説明の便宜上、平面図の上下方向を第１方向Ｘ、第１方向Ｘに対して直角である平面図の左右方向を第２方向Ｙとそれぞれ定義する。第１方向Ｘおよび第２方向Ｙは、ともに半導体装置Ａ１の厚さ方向に対して直角である。
【００４３】
図１は、半導体装置Ａ１を示す平面図である。図２は、理解の便宜上、図１から後述する封止樹脂６を省略した平面図である。図３は、半導体装置Ａ１を示す左側面図である。図４は、半導体装置Ａ１を示す右側面図である。図５は、半導体装置Ａ１を示す正面図である。図６は、半導体装置Ａ１を示す背面図である。図７は、図２のＶＩＩ−ＶＩＩ線（一点鎖線）に沿う断面図である。図８は、図２のＶＩＩＩ−ＶＩＩＩ線に沿う断面図である。なお、図２においては、封止樹脂６を想像線（二点鎖線）により図示している。図７および図８においては、封止樹脂６を省略せず図示している。
【００４４】
これらの図に示す半導体装置Ａ１は、たとえば電気自動車、またはハイブリッド自動車などのインバータ装置の回路基板に表面実装されるものであり、パッケージ形式がＳＯＰである。本実施形態の半導体装置Ａ１は、半導体素子１１、絶縁素子１２、導電支持部材８０、封止樹脂６、ボンディングワイヤ７１、内装めっき層７２および外装めっき層７３を備えている。本実施形態においては、半導体装置Ａ１は、平面視矩形状である。
【００４５】
半導体素子１１および絶縁素子１２は、半導体装置Ａ１を機能させるための素子である。半導体素子１１は、制御素子１１１および駆動素子１１２を含む。制御素子１１１は、ＥＣＵから入力された制御信号をＰＷＭ制御信号に変換する回路と、前記ＰＷＭ制御信号を駆動素子１１２へ伝送するための送信回路と、駆動素子１１２からの電気信号を受ける受信回路とを有する。駆動素子１１２は、前記ＰＷＭ制御信号を受信する受信回路と、前記ＰＷＭ信号に基づきＩＧＢＴなどのパワー半導体素子のスイッチング動作を行う回路（ゲートドライバ）と、電気信号を制御素子１１１へ伝送するための送信回路とを有する。前記電気信号は、たとえばモータ近傍に設置された温度センサからの出力信号が挙げられる。
【００４６】
絶縁素子１２は、前記ＰＷＭ制御信号や他の電気信号を、絶縁状態で伝送するための素子である。駆動素子１１２は、制御素子１１１よりも高い電圧を必要とするため、制御素子１１１と駆動素子１１２との間に著しい電位差が生じることから、絶縁素子１２が必要となる。具体的には、たとえば電気自動車、またはハイブリッド自動車のインバータ装置においては、制御素子１１１に供給される電源電圧が約５Ｖであることに対し、駆動素子１１２に供給される電源電圧は約６００Ｖ以上である。本実施形態においては、絶縁素子１２は、インダクタ結合型絶縁素子である。インダクタ結合型絶縁素子は、２つのインダクタ（コイル）を誘導結合させることで、絶縁状態による電気信号の伝送を行う。絶縁素子１２は、Ｓｉからなる基板を有する。前記基板上に、Ｃｕからなるインダクタが形成されている。前記インダクタは、送信側インダクタおよび受信側インダクタを含み、これらのインダクタは絶縁素子１２の厚さ方向において互いに積層されている。前記送信側インダクタと前記受信側インダクタとの間には、ＳｉＯ2などからなる誘電体層が介装されて
いる。前記誘電体層により、前記送信側インダクタと前記受信側インダクタとは、電気的に絶縁されている。
【００４７】
図２に示すように、第２方向Ｙにおいて、絶縁素子１２は制御素子１１１と駆動素子１１２との間に位置している。本実施形態においては、制御素子１１１、駆動素子１１２および絶縁素子１２の平面視形状は、いずれも第１方向Ｘを長辺とする長矩形である。制御素子１１１および絶縁素子１２は、後述するダイパッド２の第１ダイパッド２１上に搭載されている。また、駆動素子１１２は、後述するダイパッド２の第２ダイパッド２２上に搭載されている。制御素子１１１の上面（図７に示す制御素子１１１の上面）には、複数のパッド１１１ａが形成されている。同様に、駆動素子１１２の上面（図７に示す駆動素子１１２の上面）には複数のパッド１１２ａが、絶縁素子１２の上面（図７に示す絶縁素子１２の上面）には複数のパッド１２ａが、それぞれ形成されている。
【００４８】
導電支持部材８０は、半導体装置Ａ１において、半導体素子１１および絶縁素子１２を搭載し、かつ半導体素子１１および絶縁素子１２とインバータ装置の回路基板との導電経路を構成する部材である。導電支持部材８０は、たとえばＣｕを含む合金からなる。導電支持部材８０は、後述するリードフレーム８１から形成される。導電支持部材８０は、ダイパッド２、複数の第１端子３、複数の第２端子４および支持端子５を含む。
【００４９】
ダイパッド２は、半導体素子１１および絶縁素子１２を搭載する部材である。ダイパッド２は、第１ダイパッド２１および第２ダイパッド２２を含む。図２に示すように、第２方向Ｙにおいて、第１ダイパッド２１および第２ダイパッド２２は互いに離間して配置されている。本実施形態においては、第１ダイパッド２１の面積は、第２ダイパッド２２の面積よりも広い。また、本実施形態においては、第１ダイパッド２１および第２ダイパッド２２の平面視形状は、いずれも第１方向Ｘを長辺とする長矩形である。図７および図８に示すように、第１ダイパッド２１および第２ダイパッド２２は、ともに平たんである。
【００５０】
図７および図８に示すように、第１ダイパッド２１は、第１ダイパッド上面２１１および第１ダイパッド下面２１２を有する。第１ダイパッド上面２１１および第１ダイパッド下面２１２は、互いに反対側を向いている。本実施形態においては、第１ダイパッド上面２１１に内装めっき層７２が形成されている。第１ダイパッド上面２１１に形成された内装めっき層７２上に、制御素子１１１および絶縁素子１２が、接合層（図示略）を介したダイボンディングにより、それぞれ搭載されている。また、第１ダイパッド下面２１２は、全面にわたって封止樹脂６に接している。
【００５１】
図７に示すように、第２ダイパッド２２は、第２ダイパッド上面２２１および第２ダイパッド下面２２２を有する。第２ダイパッド上面２２１および第２ダイパッド下面２２２は、互いに反対側を向いている。本実施形態においては、第２ダイパッド上面２２１に内装めっき層７２が形成されている。第２ダイパッド上面２２１に形成された内装めっき層７２上に、駆動素子１１２が、接合層（図示略）を介したダイボンディングにより搭載されている。また、第２ダイパッド下面２２２は、全面にわたって封止樹脂６に接している。
【００５２】
図２および図７に示すように、第２方向Ｙにおいて、第１ダイパッド２１と第２ダイパッド２２との間に、封止樹脂６が介在している。本実施形態においては、後述のとおり封止樹脂６は、たとえば電気絶縁性を有する黒色のエポキシ樹脂からなる。したがって、第１ダイパッド２１と第２ダイパッド２２とは、絶縁素子１２および封止樹脂６により電気的に絶縁されている。
【００５３】
複数の第１端子３は、インバータ装置の回路基板に接合されることで、半導体装置Ａ１と前記回路基板との導電経路を構成する部材である。図１および図３に示すように、複数の第１端子３は、第１方向Ｘに沿って配列されている。また、複数の第１端子３は、後述する封止樹脂６の一方の樹脂第１側面６３から、それぞれ第２方向Ｙに延出するように露出している。複数の第１端子３は、複数の第１中間端子３１および一対の第１側端子３２を含む。
【００５４】
図２および図３に示すように、第１方向Ｘにおいて、複数の第１中間端子３１は一対の第１側端子３２に挟まれて配列されている。複数の第１中間端子３１はそれぞれ、リード部３１１およびパッド部３１２を有する。
【００５５】
リード部３１１は、第２方向Ｙに沿って延びた長矩形状の部位で、図５および図６に示すように、前記一方の樹脂第１側面６３から露出した部分はガルウィング状に曲げ加工が施されている。また、図７に示すように、当該露出した部分を外装めっき層７３が覆うように形成されている。リード部３１１のうち、外装めっき層７３が形成されていない部分は、封止樹脂６に覆われている。パッド部３１２は、リード部３１１につながり、かつ第１方向Ｘにおいてリード部３１１よりも幅広矩形状の部位である。図７に示すように、本実施形態においては、パッド部３１２の上面に内装めっき層７２が形成されている。パッド部３１２は、全面にわたって封止樹脂６に覆われている。また、パッド部３１２は平たんである。
【００５６】
図２および図３に示すように、第１方向Ｘにおいて、一対の第１側端子３２は複数の第１中間端子３１の両側に配置されている。一対の第１側端子３２はそれぞれ、リード部３２１およびパッド部３２２を有する。
【００５７】
リード部３２１は、第２方向Ｙに沿って延びた長矩形状の部位で、図５および図６に示すように、前記一方の樹脂第１側面６３から露出した部分はガルウィング状に曲げ加工が施されている。また、第１中間端子３１のリード部３１１と同様に、当該露出した部分を外装めっき層７３が覆うように形成されている。リード部３２１のうち、外装めっき層７３が形成されていない部分は、封止樹脂６に覆われている。パッド部３２２は、リード部３２１につながり、かつ第１方向Ｘにおいてリード部３２１よりも幅広の部位である。本実施形態においては、第１中間端子３１のパッド部３１２と同様に、パッド部３２２の上面（図７において第１ダイパッド上面２１１が向く方向と同一方向を向く面）に内装めっき層７２が形成されている。パッド部３２２は、全面にわたって封止樹脂６に覆われている。また、パッド部３２２は平たんである。
【００５８】
複数の第２端子４は、複数の第１端子３と同様に、インバータ装置の回路基板に接合されることで、半導体装置Ａ１と前記回路基板との導電経路を構成する部材である。図１および図４に示すように、複数の第２端子４は、第１方向Ｘに沿って配列されている。また、図２に示すように、複数の第２端子４は、第２方向Ｙにおいて半導体素子１１を挟んで複数の第１端子３の反対側に位置している。複数の第２端子４は、後述する封止樹脂６の他方の樹脂第１側面６３から、それぞれ第２方向Ｙに延出するように露出している。複数の第２端子４は、複数の第２中間端子４１および一対の第２側端子４２を含む。
【００５９】
図２および図４に示すように、第１方向Ｘにおいて、複数の第２中間端子４１は一対の第２側端子４２に挟まれて配列されている。さらに、第１方向Ｘにおいて、複数の第２中間端子４１は後述する支持端子５の一対の第２支持端子５２に挟まれて配列されている。複数の第２中間端子４１はそれぞれ、リード部４１１およびパッド部４１２を有する。
【００６０】
リード部４１１は、第２方向Ｙに沿って延びた長矩形状の部位で、図５および図６に示すように、前記他方の樹脂第１側面６３から露出した部分はガルウィング状に曲げ加工が施されている。また、図７に示すように、当該露出した部分を外装めっき層７３が覆うように形成されている。リード部４１１のうち、外装めっき層７３が形成されていない部分は、封止樹脂６に覆われている。パッド部４１２は、リード部４１１につながり、かつ第１方向Ｘにおいてリード部４１１よりも幅広矩形状の部位である。図７に示すように、本実施形態においては、パッド部４１２の上面（図７に示すパッド部４１２の上面）に内装めっき層７２が形成されている。パッド部４１２は、全面にわたって封止樹脂６に覆われている。また、パッド部４１２は平たんである。なお、本実施形態においては、第２端子４の形状は、第１端子３の形状と同一である。
【００６１】
図２および図４に示すように、第１方向Ｘにおいて、一対の第２側端子４２は複数の第２側端子４２の両側に配置されている。一対の第２側端子４２はそれぞれ、リード部４２１およびパッド部４２２を有する。
【００６２】
リード部４２１は、第２方向Ｙに沿って延びた長矩形状の部位で、図５および図６に示すように、前記他方の樹脂第１側面６３から露出した部分はガルウィング状に曲げ加工が施されている。また、第２中間端子４１のリード部４１１と同様に、当該露出した部分を外装めっき層７３が覆うように形成されている。リード部４２１のうち、外装めっき層７３が形成されていない部分は、封止樹脂６に覆われている。また、封止樹脂６に覆われているリード部４２１の部分の長さは、第２中間端子４１のリード部４１１の当該部分の長さよりも長い。パッド部４２２は、リード部４２１につながり、かつ第１方向Ｘに延出した部位である。図２に示すように、パッド部４２２の端部は、第２ダイパッド２２から離間している。本実施形態においては、第２中間端子４１のパッド部４１２と同様に、パッド部４２２の上面（図７において第２ダイパッド上面２２１が向く方向と同一方向を向く面）に内装めっき層７２が形成されている。パッド部４２２は、全面にわたって封止樹脂６に覆われている。また、パッド部４２２は平たんである。  
【００６３】
支持端子５は、ダイパッド２に連結されている。支持端子５は、ダイパッド２を支持するとともに、複数の第１端子３および複数の第２端子４と同様に、インバータ装置の回路基板に接合されることで、半導体装置Ａ１と前記回路基板との導電経路を構成する部材である。支持端子５は、一対の部材から構成されたものを含み、さらに一対の第１支持端子５１および一対の第２支持端子５２を含む。図２に示すように、一対の第１支持端子５１は、第１方向Ｘに離間して配置され、第１ダイパッド２１の両端に連結されている。また、一対の第２支持端子５２は、第１方向Ｘ方向に離間して配置され、第２ダイパッド２２の両端に連結されている。
【００６４】
図２および図３に示すように、第１方向Ｘにおいて、一対の第１支持端子５１は複数の第１端子３の両側に配置されている。また、一対の第１支持端子５１は、複数の第１端子３が露出している前記一方の樹脂第１側面６３から、それぞれ第２方向Ｙに延出するように露出している。一対の第１支持端子５１はそれぞれ、リード部５１１およびパッド部５１２を有する。
【００６５】
リード部５１１は、第２方向Ｙに沿って延びた長矩形状の部位で、図５および図６に示すように、前記一方の樹脂第１側面６３から露出した部分はガルウィング状に曲げ加工が施されている。また、第１中間端子３１のリード部３１１と同様に、当該露出した部分を外装めっき層７３が覆うように形成されている。リード部５１１のうち、外装めっき層７３が形成されていない部分は、封止樹脂６に覆われている。また、封止樹脂６に覆われているリード部５１１の部分の長さは、第１中間端子３１のリード部３１１、または第１側端子３２のリード部３１１の当該部分の長さよりも長い。パッド部５１２は、リード部５１１につながり、かつ第１方向Ｘに延出した部位である。図２に示すように、パッド部５１２の端部が第１ダイパッド２１に連結されている。図８に示すように、本実施形態においては、第１中間端子３１のパッド部３１２と同様に、パッド部５１２の上面に内装めっき層７２が形成されている。パッド部５１２は、全面にわたって封止樹脂６に覆われている。また、パッド部５１２は平たんである。
【００６６】
図２および図４に示すように、第１方向Ｘにおいて、一対の第２支持端子５２の内側に、複数の第２中間端子４１が配列されている。また、第１方向Ｘにおいて、一対の第２支持端子５２の外側に、第２側端子４２がそれぞれ配置されている。したがって、一対の第２支持端子５２のそれぞれの両側に、第２端子４が配置されている。一対の第２支持端子５２は、複数の第２端子４が露出している前記他方の樹脂第１側面６３から、それぞれ第２方向Ｙに延出するようにそれぞれ露出している。一対の第２支持端子５２はそれぞれ、リード部５２１、パッド部５２２および連結部５２４を有する。
【００６７】
リード部５２１は、第２方向Ｙに沿って延びた長矩形状の部位で、図５および図６に示すように、前記他方の樹脂第１側面６３から露出した部分はガルウィング状に曲げ加工が施されている。また、第２中間端子４１のリード部４１１と同様に、当該露出した部分を外装めっき層７３が覆うように形成されている。リード部５２１のうち、外装めっき層７３が形成されていない部分は、封止樹脂６に覆われている。パッド部５２２は、リード部５２１につながり、かつ第１方向Ｘにおいてリード部５２１よりも幅広の部位である。パッド部５２２は、第２方向Ｙに延出している。本実施形態においては、第２中間端子４１のパッド部４１２と同様に、パッド部５２２の上面（図７において第２ダイパッド上面２２１が向く方向と同一方向を向く面）に内装めっき層７２が形成されている。パッド部５２２は、全面にわたって封止樹脂６に覆われている。また、パッド部５２２は平たんである。連結部５２４は、パッド部５２２につながり、かつ第１方向Ｘに延出した部位である。図２に示すように、連結部５２４の端部が第２ダイパッド２２に連結されている。本実施形態においては、パッド部５２２と同様に、連結部５２４の上面（パッド部５２２の上面が向く方向と同一方向を向く面）に内装めっき層７２が形成されている。連結部５２４は、全面にわたって封止樹脂６に覆われている。
【００６８】
図９は、半導体装置Ａ１のリードフレーム８１を示す平面図である。図９において、封止樹脂６が形成される領域を想像線（二点鎖線）で示す。また、内装めっき層７２が形成される領域を斜線部で示す。
【００６９】
先述した導電支持部材８０は、リードフレーム８１から形成される。半導体装置Ａ１の製造過程において、ダイパッド２、複数の第１端子３、複数の第２端子４および支持端子５は、いずれも同一のリードフレーム８１から形成される。リードフレーム８１は、たとえばＣｕを含む合金からなる。リードフレーム８１は、外枠８１１、アイランド部８１２、複数の第１リード８１３、複数の第２リード８１４、支持リード８１５およびダムバー８１６を有する。このうち、外枠８１１およびダムバー８１６は、半導体装置Ａ１を構成しない。以下、リードフレーム８１について図９に基づき説明する。
【００７０】
外枠８１１は、アイランド部８１２、複数の第１リード８１３、複数の第２リード８１４、支持リード８１５およびダムバー８１６を囲むように形成された部材である。外枠８１１の第１方向Ｘに沿って、複数の第１リード８１３、複数の第２リード８１４および支持リード８１５がそれぞれ連結されている。また、外枠８１１の第２方向Ｙに沿って、ダムバー８１６が連結されている。
【００７１】
アイランド部８１２は、平面視において第１方向Ｘを長辺とする長矩形状の部材である。アイランド部８１２が、ダイパッド２に相当する。アイランド部８１２は、支持リード８１５を介して外枠８１１に支持されている。アイランド部８１２は、第１アイランド部８１２ａおよび第２アイランド部８１２ｂを含む。第１アイランド部８１２ａが第１ダイパッド２１に、第２アイランド部８１２ｂが第２ダイパッド２２にそれぞれ相当する。第１アイランド部８１２ａおよび第２アイランド部８１２ｂは、互いに離間して配置されている。
【００７２】
複数の第１リード８１３は、第１方向Ｘに沿って配列され、かつそれぞれが第２方向Ｙに延出した部材である。複数の第１リード８１３が、複数の第１端子３に相当する。それぞれの第１リード８１３の一端が、外枠８１１に連結されている。複数の第１リード８１３は、複数の第１中間リード８１３ａおよび一対の第１側リード８１３ｂを含む。第１中間リード８１３ａが第１中間端子３１に、第１側リード８１３ｂが第１側端子３２にそれぞれ相当する。
【００７３】
複数の第２リード８１４は、第１方向Ｘに沿って配列され、かつそれぞれが第２方向Ｙに延出した部材である。また、複数の第２リード８１４は、第２方向Ｙにおいて、アイランド部８１２を挟んで反対側に位置している。複数の第２リード８１４が、複数の第２端子４に相当する。それぞれの第２リード８１４の一端が、外枠８１１に連結されている。複数の第２リード８１４は、複数の第２中間リード８１４ａおよび一対の第２側リード８１４ｂを含む。第２中間リード８１４ａが第２中間端子４１に、第２側リード８１４ｂが第２側端子４２にそれぞれ相当する。
【００７４】
支持リード８１５は、第２方向Ｙに延出し、かつ一端が外枠８１１に連結され、他端がアイランド部８１２に連結された部材である。支持リード８１５が、支持端子５に相当する。支持リード８１５は、一対の第１支持リード８１５ａおよび一対の第２支持リード８１５ｂを含む。第１支持リード８１５ａが第１支持端子５１に、第２支持リード８１５ｂが第２支持端子５２にそれぞれ相当する。一対の第１支持リード８１５ａは、第１方向Ｘに離間して配置され、かつ第１アイランド部８１２ａの両端に連結されている。また、一対の第２支持リード８１５ｂは、第１方向Ｘに離間して配置され、かつ第２アイランド部８１２ｂの両端に連結されている。
【００７５】
ダムバー８１６は、第１方向Ｘに延出し、かつ両端が外枠８１１に連結された一対の部材である。ダムバー８１６は、複数の第１リード８１３、複数の第２リード８１４および支持リード８１５をそれぞれ第１方向Ｘにおいて支持するとともに、封止樹脂６の形成過程において、溶融された合成樹脂を堰き止める機能を果たす。一方のダムバー８１６は、複数の第１中間リード８１３ａ、一対の第１側リード８１３ｂおよび一対の第１支持リード８１５ａに連結されている。また、他方のダムバー８１６は、複数の第２中間リード８１４ａ、一対の第２側リード８１４ｂおよび一対の第２支持リード８１５ｂに連結されている。
【００７６】
封止樹脂６は、たとえば電気絶縁性を有する黒色のエポキシ樹脂からなる。封止樹脂６は、複数の第１端子３、複数の第２端子４および支持端子５のそれぞれ一部ずつと、半導体素子１１、絶縁素子１２、ダイパッド２、ボンディングワイヤ７１および内装めっき層７２とを覆っている。封止樹脂６は、金型を用いたトランスファ成形により形成される。封止樹脂６は、樹脂上面６１、樹脂下面６２、一対の樹脂第１側面６３および一対の樹脂第２側面６４を有する。
【００７７】
図３〜図６に示すように、樹脂上面６１は、上方を向く面である。また、樹脂下面６２は、下方を向く面である。樹脂上面６１および樹脂下面６２は、互いに反対側を向いている。樹脂上面６１および樹脂下面６２は、ともに平たんである。
【００７８】
図１および図２に示すように、一対の樹脂第１側面６３は、第２方向Ｙに離間して形成されている。一対の樹脂第１側面６３は、互いに反対側を向いている。本実施形態においては、一方の樹脂第１側面６３から、複数の第１端子３および一対の第１支持端子５１がそれぞれ露出している。また、他方の樹脂第１側面６３から、複数の第２端子４および一対の第２支持端子５２がそれぞれ露出している。一対の樹脂第１側面６３はそれぞれ、樹脂第１側面上部６３１、樹脂第１側面中央部６３２および樹脂第１側面下部６３３を有する。
【００７９】
図３〜図６に示すように、樹脂第１側面上部６３１は、上端が樹脂上面６１につながり、下端が樹脂第１側面中央部６３２につながっている部分である。樹脂第１側面上部６３１は、その上端が半導体装置Ａ１の内部側に位置するように傾斜している。
【００８０】
図３〜図６に示すように、樹脂第１側面中央部６３２は、上端が樹脂第１側面上部６３１につながり、下端が樹脂第１側面下部６３３につながっている部分である。樹脂第１側面中央部６３２は、樹脂上面６１および樹脂下面６２に対して垂直である。一方の樹脂第１側面中央部６３２から、複数の第１端子３および一対の第１支持端子５１がそれぞれ露出している。他方の樹脂第１側面中央部６３２から、複数の第２端子４および一対の第２支持端子５２がそれぞれ露出している。
【００８１】
図３〜図６に示すように、樹脂第１側面下部６３３は、上端が樹脂第１側面中央部６３２につながり、下端が樹脂下面６２につながっている部分である。樹脂第１側面下部６３３は、その下端が半導体装置Ａ１の内部側に位置するように傾斜している。
【００８２】
図１および図２に示すように、一対の樹脂第２側面６４は、第１方向Ｘに離間して形成されている。一対の樹脂第２側面６４は、互いに反対側を向いている。図２、図５および図６に示すように、本実施形態においては、一対の樹脂第２側面６４から導電支持部材８０が露出していない。一対の樹脂第２側面６４はそれぞれ、樹脂第２側面上部６４１、樹脂第２側面中央部６４２および樹脂第２側面下部６４３を有する。
【００８３】
図３〜図６に示すように、樹脂第２側面上部６４１は、上端が樹脂上面６１につながり、下端が樹脂第２側面中央部６４２につながっている部分である。樹脂第２側面上部６４１は、その上端が半導体装置Ａ１の内部側に位置するように傾斜している。
【００８４】
図３〜図６に示すように、樹脂第２側面中央部６４２は、上端が樹脂第２側面上部６４１につながり、下端が樹脂第２側面下部６４３につながっている部分である。樹脂第２側面中央部６４２は、樹脂上面６１および樹脂下面６２に対して垂直であり、かつ樹脂第１側面中央部６３２と直交している。本実施形態においては、半導体装置Ａ１の厚さ方向において、樹脂第２側面中央部６４２の高さと、樹脂第１側面中央部６３２の高さとは、略同一である。
【００８５】
図３〜図６に示すように、樹脂第２側面下部６４３は、上端が樹脂第２側面中央部６４２につながり、下端が樹脂下面６２につながっている部分である。樹脂第２側面下部６４３は、その下端が半導体装置Ａ１の内部側に位置するように傾斜している。
【００８６】
複数のボンディングワイヤ７１は、半導体装置Ａ１の内部において、先述した複数の第１端子３、複数の第２端子４および支持端子５とともに、半導体素子１１および絶縁素子１２が所定の機能を果たすための導電経路を構成している。複数のボンディングワイヤ７１は、複数の第１ボンディングワイヤ７１１、複数の第２ボンディングワイヤ７１２、複数の第３ボンディングワイヤ７１３、複数の第４ボンディングワイヤ７１４を含む。
【００８７】
図２に示すように、複数の第１ボンディングワイヤ７１１は、制御素子１１１と、複数の第１端子３および一対の第１支持端子５１との導電経路を構成している。複数の第１ボンディングワイヤ７１１によって、制御素子１１１は、少なくとも一つ以上の第１端子３および第１支持端子５１と導通している。複数の第１ボンディングワイヤ７１１はそれぞれ、制御素子１１１のパッド１１１ａと、第１中間端子３１のパッド部３１２、第１側端子３２のパッド部３２２または第１支持端子５１のパッド部５１２とにボンディングされている。
【００８８】
図２に示すように、複数の第２ボンディングワイヤ７１２は、絶縁素子１２と制御素子１１１との導電経路を構成している。複数の第２ボンディングワイヤ７１２によって、絶縁素子１２および制御素子１１１は互いに導通している。複数の第２ボンディングワイヤ７１２はそれぞれ、絶縁素子１２のパッド１２ａおよび制御素子１１１のパッド１１１ａにボンディングされている。本実施形態においては、複数の第２ボンディングワイヤ７１２は、第２方向Ｙに沿って配置されている。
【００８９】
図２に示すように、複数の第３ボンディングワイヤ７１３は、絶縁素子１２と駆動素子１１２との導電経路を構成している。複数の第３ボンディングワイヤ７１３によって、絶縁素子１２および駆動素子１１２は互いに導通している。複数の第３ボンディングワイヤ７１３はそれぞれ、絶縁素子１２のパッド１２ａおよび駆動素子１１２のパッド１１２ａにボンディングされている。本実施形態においては、複数の第３ボンディングワイヤ７１３は、第２方向Ｙに沿って配置されている。
【００９０】
図２に示すように、複数の第４ボンディングワイヤ７１４は、駆動素子１１２と、複数の第２端子４および一対の第２支持端子５２との導電経路を構成している。複数の第４ボンディングワイヤ７１４によって、駆動素子１１２は、少なくとも一つ以上の第２端子４および第２支持端子５２と導通している。複数の第４ボンディングワイヤ７１４はそれぞれ、駆動素子１１２のパッド１１２ａと、第２中間端子４１のパッド部４１２、第２側端子４２のパッド部４２２または第２支持端子５２のパッド部５２２とにボンディングされている。
【００９１】
図１０〜図１４は、半導体装置Ａ１のボンディングワイヤ７１のワイヤボンディングを示す要部断面図である。
【００９２】
絶縁素子１２にボンディングされた複数の第２ボンディングワイヤ７１２および第３ボンディングワイヤ７１３のすべてに、絶縁素子１２にボンディングされた第１ボンディング部７１２ａおよび第１ボンディング部７１３ａが形成されている。図１０〜図１４に基づき、第２ボンディングワイヤ７１２および第３ボンディングワイヤ７１３のワイヤボンディングの過程について説明する。
【００９３】
図１０に示すように、キャピラリ８８を絶縁素子１２に向かって下降させ、ワイヤ８７１の先端を絶縁素子１２のパッド１２ａに押しつける。このとき、キャピラリ８８の自重およびキャピラリ８８から発振される超音波などの作用によって、ワイヤ８７１の先端がパッド１２ａに圧着される。キャピラリ８８は、貫通孔を有する筒状であり、その先端が緩やかな曲面によって構成されている。キャピラリ８８から、ボンディングワイヤ７１となるワイヤ８７１が進退自在に送り出される。次いで、図１１に示すように、ワイヤ８７１を送り出しながらキャピラリ８８を上昇させることで、パッド１２ａ上に第２ボンディングワイヤ７１２の第１ボンディング部７１２ａが形成される。第３ボンディングワイヤ７１３の第１ボンディング部７１３ａも同様に形成される。
【００９４】
次いで、図１２に示すように、制御素子１１１のパッド１１１ａの直上にキャピラリ８８を移動させ、さらにキャピラリ８８を下降させることにより、キャピラリ８８の先端をパッド１１１ａに押しつける。このとき、ワイヤ８７１がキャピラリ８８の先端とパッド１１１ａとに挟まれるとともに、ワイヤ８７１の一部がキャピラリ８８の先端に付着する。次いで、図１３に示すように、キャピラリ８８を上昇させることで、ワイヤ８７１が切断され、パッド１１１ａ上に第２ボンディングワイヤ７１２の第２ボンディング部７１２ｂが形成される。以上の過程により、絶縁素子１２と制御素子１１１とにボンディングされた第２ボンディングワイヤ７１２が形成される。
【００９５】
図１４に示すように、第３ボンディングワイヤ７１３の第２ボンディング部７１３ｂの形成にあたっては、キャピラリ８８の先端を駆動素子１１２のパッド１１２ａに押しつける。このとき、ワイヤ８７１がキャピラリ８８の先端とパッド１１２ａとに挟まれる。当該先端は、第２ボンディングワイヤ７１２を形成したときのキャピラリ８８の先端に対して、ワイヤ８７１を挟んで反対側に位置する。このようなワイヤボンディングの過程をとることで、ワイヤボンディングの阻害要因となるキャピラリ８８の先端に付着するワイヤ８７１の偏りを抑制することができる。
【００９６】
内装めっき層７２は、複数の第１端子３と、複数の第２端子４と、支持端子５とに形成された部位を有する。具体的な当該部位は、先述した複数の第１端子３、複数の第２端子４および支持端子５についての説明において示している。本実施形態においては、内装めっき層７２は、第１ダイパッド２１の第１ダイパッド上面２１１および第２ダイパッド２２の第２ダイパッド上面２２１にも形成されている。図９に示すように、内装めっき層７２は、リードフレーム８１において斜線部で示された領域に形成される。内装めっき層７２は、ワイヤボンディング時の衝撃からリードフレーム８１を保護する機能を果たす。内装めっき層７２は、たとえばＡｇからなる。
【００９７】
外装めっき層７３は、複数の第１端子３および一対の第１支持端子５１と、複数の第２端子４および一対の第２支持端子５２とが、それぞれ一対の樹脂第１側面６３より露出した部分に形成されている。外装めっき層７３は、ハンダ接合によって半導体装置Ａ１をインバータ装置の回路基板に表面実装させる際に、前記露出した部分へのハンダの付着を良好なものにしつつ、ハンダ接合に起因した前記露出した部分の侵食を防止する機能を果たす。外装めっき層７３は、たとえばハンダなどのＳｎを含む合金からなる。
【００９８】
次に、半導体装置Ａ１の作用効果について説明する。
【００９９】
本実施形態によれば、複数の第１端子３および複数の第２端子４は、一対の樹脂第１側面６３からそれぞれ露出している。また、半導体装置Ａ１を構成するダイパッド２、複数の第１端子３、複数の第２端子４および支持端子５は、いずれも導電支持部材８０の各構成部材である。そして、一対の樹脂第２側面６４から、アイランドサポートなどの導電支持部材８０が露出していない。このような構成とすることで、複数の第１端子３よりも高電圧が印加される複数の第２端子４の近傍に、封止樹脂６から露出した導電支持部材８０の金属部が存在しなくなる。したがって、半導体装置Ａ１の絶縁耐圧の向上を図ることが可能となる。
【０１００】
絶縁素子１２にボンディングされた複数の第２ボンディングワイヤ７１２および第３ボンディングワイヤ７１３は、第２方向Ｙに沿って配置されている。たとえば、半導体装置Ａ１を電気自動車、またはハイブリッド自動車のインバータ装置に搭載した場合、複数の第２ボンディングワイヤ７１２に印加される電圧は約５Ｖであることに対し、複数の第３ボンディングワイヤ７１３に印加される電圧は約６００Ｖ以上である。したがって、このような複数の第２ボンディングワイヤ７１２および第３ボンディングワイヤ７１３の配置は、半導体装置Ａ１の絶縁耐圧の向上の観点から好ましい。
【０１０１】
半導体装置Ａ１の絶縁耐圧の向上を図るため、複数の第１端子３と複数の第２端子４との離間距離は長くなる傾向となる。そこで、半導体素子１１、絶縁素子１２およびダイパッド２の平面視形状を、いずれも第１方向Ｘを長辺とすることで、半導体装置Ａ１の大型化を回避することができる。
【０１０２】
第１ダイパッド２１および第２ダイパッド２２は、ともに第２方向Ｙの略中央の位置において、一対の第１支持端子５１および第２支持端子５２によってそれぞれ両端支持されている。封止樹脂６の形成において、金型内に注入された溶融樹脂がダイパッド２に接触し、ダイパッド２に半導体装置Ａ１の厚さ方向の変位が生じる。したがって、このような構成とすることで、当該変位を抑制し、半導体装置Ａ１の不具合を回避することができる。
【０１０３】
封止樹脂６の形成にあたっては、一般的にリードフレーム８１の隅から金型内に溶融樹脂を注入する。本実施形態によれば、一対の樹脂第２側面６４からアイランドサポートなどの導電支持部材８０が露出していない。このような構成とすることで、第２方向Ｙの中央から前記溶融樹脂を注入することができるため、封止樹脂６に空隙が発生することを抑制できる。
【０１０４】
図１５〜図１８は、本発明の他の実施形態を示している。なお、これらの図において、先述した半導体装置Ａ１と同一または類似の要素には同一の符号を付して、重複する説明を省略することとする。
【０１０５】
〔第２実施形態〕
図１５および図１６に基づき、本発明の第２実施形態にかかる半導体装置Ａ２について説明する。
【０１０６】
図１５は、理解の便宜上、封止樹脂６を省略した半導体装置Ａ２を示す平面図である。図１６は、図１５のＸＶＩ−ＸＶＩ線（一点鎖線）に沿う断面図である。なお、図１５においては、封止樹脂６を想像線（二点鎖線）により図示している。図１６においては、封止樹脂６を省略せず図示している。本実施形態においては、半導体装置Ａ２は、平面視矩形状である。
【０１０７】
本実施形態の半導体装置Ａ２は、第１ダイパッド２１の形状が、先述した半導体装置Ａ１と異なる。図１５および図１６に示すように、第１ダイパッド２１に貫通孔２１３が形成されている。本実施形態においては、貫通孔２１３は、第１ダイパッド２１において制御素子１１１および絶縁素子１２との間に位置する領域に、３箇所形成されている。貫通孔２１３はそれぞれ、第１方向Ｘに延びた長孔である。なお、貫通孔２１３の個数および平面視形状は、自由に設定することが可能である。図１５に示すように、第１ダイパッド２１において、一対の第１支持端子５１および貫通孔２１３は、第１方向Ｘに沿った直線Ｎ（一点鎖線）上に配置されている。
【０１０８】
本実施形態によっても、半導体装置Ａ２の絶縁耐圧の向上を図ることが可能となる。また、本実施形態によれば、第１ダイパッド２１に貫通孔２１３が形成されている。第１ダイパッド２１の面積は、第２ダイパッド２２の面積よりも広いため、封止樹脂６の形成にあたって、第１ダイパッド２１の近傍に位置する封止樹脂６の部分に空隙が発生しやすい。そこで、第１ダイパッド２１に貫通孔２１３が形成されることで、封止樹脂６の形成にあたって金型内に注入された溶融樹脂が十分に充填され、封止樹脂６に空隙が発生することをより抑制できる。
【０１０９】
〔第３実施形態〕
図１７および図１８に基づき、本発明の第３実施形態にかかる半導体装置Ａ３について説明する。
【０１１０】
図１７は、理解の便宜上、封止樹脂６を省略した半導体装置Ａ３を示す平面図である。図１８は、図１７における右上の領域の部分拡大図である。なお、図１７および図１８においては、封止樹脂６を想像線（二点鎖線）により図示している。また、図１８においては、第２支持端子５２に第２方向Ｙの引抜力が作用し、第２ダイパッド２２が封止樹脂６から抜け出そうとしたときの状態を想像線（二点鎖線）により図示している。本実施形態においては、半導体装置Ａ３は、平面視矩形状である。
【０１１１】
本実施形態の半導体装置Ａ３は、複数の第２端子４のうち、一対の第２側端子４２の形状と、一対の第１支持端子５１の形状とが、先述した半導体装置Ａ１およびＡ２と異なる。図１７および図１８に示すように、第１方向Ｘにおいて、一対の第２支持端子５２のそれぞれの外側に配置された第２端子４、すなわち一対の第２側端子４２に、第２支持端子５２に向かって突出した突起部４２３がそれぞれ形成されている。本実施形態においては、突起部４２３の平面視形状は、台形である。なお、突起部４２３の平面視形状は、矩形などいかなる形状をもとることができる。リードフレーム８１の加工の性質上、同様に、一対の第１支持端子５１にも、第１側端子３２に向かって突出した突起部５１３がそれぞれ形成されている。
【０１１２】
本実施形態によっても、半導体装置Ａ３の絶縁耐圧の向上を図ることが可能となる。また、本実施形態によれば、一対の第２側端子４２に突起部４２３がそれぞれ形成されている。第２ダイパッド２２の面積は、第１ダイパッド２１の面積よりも狭いため、第２ダイパッド２２と封止樹脂６との接合力は、第１ダイパッド２１と封止樹脂６との接合力よりも小さくなる。そのため、封止樹脂６を形成した後、個片とするためリードフレーム８１を切断する際、第２支持端子５２に作用する第２方向Ｙの引抜力によって、第２ダイパッド２２が封止樹脂６から抜け出すおそれがある。図１８に示すように、一対の第２支持端子５２に作用する前記引抜力の方向（第２方向Ｙ）に対して直角である方向（第１方向Ｘ）に、突起部４２３が突出している。このため、第２支持端子５２に前記引抜力が作用し、第２ダイパッド２２が封止樹脂６から抜け出そうとすると、第２支持端子５２が突起部４２３から反作用を受ける状態となる。これにより、第２ダイパッド２２が封止樹脂６から抜け出すことを防止することができる。
【０１１３】
本発明にかかる半導体装置は、先述した実施形態に限定されるものではない。本発明にかかる半導体装置の各部の具体的な構成は、種々に設計変更自在である。
【符号の説明】
【０１１４】
Ａ１，Ａ２，Ａ３：半導体装置
１１：半導体素子
１１１：制御素子
１１１ａ：パッド
１１２：駆動素子
１１２ａ：パッド
１２：絶縁素子
１２ａ：パッド
２：ダイパッド
２１：第１ダイパッド
２１１：第１ダイパッド上面
２１２：第１ダイパッド下面
２１３：貫通孔
２２：第２ダイパッド
２２１：第２ダイパッド上面
２２２：第２ダイパッド下面
３：第１端子
３１：第１中間端子
３１１：リード部
３１２：パッド部
３２：第１側端子
３２１：リード部
３２２：パッド部
４：第２端子
４１：第２中間端子
４１１：リード部
４１２：パッド部
４２：第２側端子
４２１：リード部
４２２：パッド部
４２３：突起部
５：支持端子
５１：第１支持端子
５１１：リード部
５１２：パッド部
５１３：突起部
５２：第２支持端子
５２１：リード部
５２２：パッド部
５２４：連結部
６：封止樹脂
６１：樹脂上面
６２：樹脂下面
６３：樹脂第１側面
６３１：樹脂第１側面上部
６３２：樹脂第１側面中央部
６３３：樹脂第１側面下部
６４：樹脂第２側面
６４１：樹脂第２側面上部
６４２：樹脂第２側面中央部
６４３：樹脂第２側面下部
７１：ボンディングワイヤ
７１１：第１ボンディングワイヤ
７１２：第２ボンディングワイヤ
７１２ａ：第１ボンディング部
７１２ｂ：第２ボンディング部
７１３：第３ボンディングワイヤ
７１３ａ：第１ボンディング部
７１３ｂ：第２ボンディング部
７１４：第４ボンディングワイヤ
７２：内装めっき層
７３：外装めっき層
８０：導電支持部材
８１：リードフレーム
８１１：外枠
８１２：アイランド部
８１２ａ：第１アイランド部
８１２ｂ：第２アイランド部
８１３：第１リード
８１３ａ：第１中間リード
８１３ｂ：第１側リード
８１４：第２リード
８１４ａ：第２中間リード
８１４ｂ：第２側リード
８１５：支持リード
８１５ａ：第１支持リード
８１５ｂ：第２支持リード
８１６：ダムバー
８７１：ワイヤ
８８：キャピラリ
Ｘ：第１方向
Ｙ：第２方向
Ｎ：直線
【図１】
2020167428.tif 000003
【図２】
2020167428.tif 000004
【図３】
2020167428.tif 000005
【図４】
2020167428.tif 000006
【図５】
2020167428.tif 000007
【図６】
2020167428.tif 000008
【図７】
2020167428.tif 000009
【図８】
2020167428.tif 000010
【図９】
2020167428.tif 000011
【図１０】
2020167428.tif 000012
【図１１】
2020167428.tif 000013
【図１２】
2020167428.tif 000014
【図１３】
2020167428.tif 000015
【図１４】
2020167428.tif 000016
【図１５】
2020167428.tif 000017
【図１６】
2020167428.tif 000018
【図１７】
2020167428.tif 000019
【図１８】
2020167428.tif 000020